【手続補正書】
【提出日】平成19年6月13日(2007.6.13)
【手続補正１】
【補正対象書類名】明細書
【補正対象項目名】特許請求の範囲
【補正方法】変更
【補正の内容】
【特許請求の範囲】
【請求項１】  光源手段と、前記光源手段から出射した光束を偏向する光偏向器と、前記光偏向器の偏向面にて偏向された光束を被走査面上に結像させる走査光学素子と、を有する走査光学装置であって、
前記走査光学素子は、少なくとも１つの回折光学素子を有し、前記回折光学素子で回折された光束のうち、使用回折次数の回折光束を用いて前記被走査面上にスポットを形成しており、
前記回折光学素子は、前記光偏向器の偏向面にて偏向された最軸外光束に対して、前記使用回折次数以外の回折光束のうち、前記使用回折次数より＋側の回折次数の回折光束の光量の総和が前記使用回折次数より−側の回折次数の回折光束の光量の総和よりも小さくなるように形成されていることを特徴とする走査光学装置。
【請求項２】  前記回折光学素子の回折格子形状はブレーズ形状である請求項１に記載の走査光学装置。
【請求項３】  前記最軸外光束が前記回折光学素子を通過する位置において、前記回折光学素子の回折格子のブレーズ角θは、
θ＝ｔａｎ−１（ｍλ／ｐ（ｎ−１））
但し、
ｍ：使用回折次数
λ：波長
ｐ：前記回折光学素子の回折格子の格子ピッチ
ｎ：前記回折光学素子の回折格子の格子部の材質の屈折率
を満たすように設定されている請求項２に記載の走査光学装置。
【請求項４】  前記最軸外光束が前記回折光学素子を通過する位置において、前記回折光学素子の回折格子のブレーズ角θは、
θ＝ｓｉｎ−１（ｍλ／ｐ（ｎ−１））
但し、
ｍ：使用回折次数
λ：波長
ｐ：前記回折光学素子の回折格子の格子ピッチ
ｎ：前記回折光学素子の回折格子の格子部の材質の屈折率
を満たすように設定されている請求項２に記載の走査光学装置。
【請求項５】 前記回折光学素子は、前記被走査面全域のいずれの光束に対しても、前記使用回折次数以外の回折光束のうち、前記使用回折次数より＋側の回折次数の回折光束の光量の総和が前記使用回折次数より−側の回折次数の回折光束の光量の総和よりも小さくなるように形成されている請求項１乃至４の何れか一項に記載の走査光学装置。
【請求項６】  光源手段と、前記光源手段から出射した光束を偏向する光偏向器と、前記光偏向器の偏向面にて偏向された光束を被走査面上に結像させる走査光学素子と、を有する走査光学装置であって、
前記走査光学素子は、少なくとも１つの回折光学素子を有し、前記回折光学素子で回折された光束のうち、使用回折次数の回折光束を用いて前記被走査面上にスポットを形成しており、
前記回折光学素子は、前記光偏向器の偏向面にて偏向された最軸外光束に対して、
０．５＜（Ｐｍ−１／Ｖｍ−１）／（Ｐｍ＋１／Ｖｍ＋１）＜２．０
但し、
ｍ：前記使用回折次数
Ｐｘ：回折次数ｘ次の回折光束の強度
Ｖｘ：回折次数ｘ次の回折光束の前記被走査面上における走査速度
を満たすように形成されていることを特徴とする走査光学装置。
【請求項７】 前記回折光学素子は、前記被走査面全域のいずれの光束に対しても、
０．５＜（Ｐｍ−１／Ｖｍ−１）／（Ｐｍ＋１／Ｖｍ＋１）＜２．０
但し、
ｍ：前記使用回折次数
Ｐｘ：回折次数ｘ次の回折光束の強度
Ｖｘ：回折次数ｘ次の回折光束の前記被走査面上における走査速度
を満たすように形成されている請求項６に記載の走査光学装置。
【請求項８】 請求項１乃至７の何れか一項に記載の走査光学装置と、前記被走査面に配置された感光ドラムと、前記走査光学装置で走査された光束によって前記感光ドラムの上に形成された静電潜像をトナー像として現像する現像手段と、前記現像されたトナー像を被転写材に転写する転写手段と、転写されたトナー像を被転写材に定着させる定着手段と、を有する画像形成装置。
【手続補正２】
【補正対象書類名】明細書
【補正対象項目名】００１５
【補正方法】変更
【補正の内容】
【００１５】
従来では回折格子は使用回折次数の回折効率を向上させることのみから格子形状が決定されていたため、付加回折光は考慮されず特に使用（設計）回折次数に対して＋側の回折次数の付加回折光は、
（１）使用回折次数に対して走査速度が遅いため相対的に露光量が多くなる。
（２）使用回折次数に対して回折方向が内側（走査光学系の光軸寄り）となり、必ず被走査面の画像有効域内に入る。逆に−側の回折次数の回折光は付加回折光の多い最軸外光束の通過位置付近において画像有効域外に出る。
【手続補正３】
【補正対象書類名】明細書
【補正対象項目名】００２０
【補正方法】変更
【補正の内容】
【００２０】
【課題を解決するための手段】
請求項１の発明の走査光学装置は、光源手段と、前記光源手段から出射した光束を偏向する光偏向器と、前記光偏向器の偏向面にて偏向された光束を被走査面上に結像させる走査光学素子と、を有する走査光学装置であって、
前記走査光学素子は、少なくとも１つの回折光学素子を有し、前記回折光学素子で回折された光束のうち、使用回折次数の回折光束を用いて前記被走査面上にスポットを形成しており、
前記回折光学素子は、前記光偏向器の偏向面にて偏向された最軸外光束に対して、前記使用回折次数以外の回折光束のうち、前記使用回折次数より＋側の回折次数の回折光束の光量の総和が前記使用回折次数より−側の回折次数の回折光束の光量の総和よりも小さくなるように形成されていることを特徴としている。
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】変更
【補正の内容】
【００２９】
請求項６の走査光学装置は、光源手段と、前記光源手段から出射した光束を偏向する光偏向器と、前記光偏向器の偏向面にて偏向された光束を被走査面上に結像させる走査光学素子と、を有する走査光学装置であって、
前記走査光学素子は、少なくとも１つの回折光学素子を有し、前記回折光学素子で回折された光束のうち、使用回折次数の回折光束を用いて前記被走査面上にスポットを形成しており、
前記回折光学素子は、前記光偏向器の偏向面にて偏向された最軸外光束に対して、
０．５＜（Ｐｍ−１／Ｖｍ−１）／（Ｐｍ＋１／Ｖｍ＋１）＜２．０
但し、
ｍ：前記使用回折次数
Ｐｘ：回折次数ｘ次の回折光束の強度
Ｖｘ：回折次数ｘ次の回折光束の前記被走査面上における走査速度
を満たすように形成されていることを特徴とする。
【手続補正１３】
【補正対象書類名】明細書
【補正対象項目名】００３０
【補正方法】削除
【補正の内容】
【手続補正１４】
【補正対象書類名】明細書
【補正対象項目名】００３１
【補正方法】削除
【補正の内容】
【手続補正１５】
【補正対象書類名】明細書
【補正対象項目名】００３２
【補正方法】削除
【補正の内容】